(57)【要約】【課題】  個人情報を他の携帯電話端末で簡単に利用することができる、ユーザへのコスト面での負担の少ない個人情報保存・管理システムを提供する。【解決手段】  少なくとも１つの携帯通信端末１０ａと、携帯通信端末１０ａとの間で近距離無線通信による相互通信が行われる腕時計２０とを有する。腕時計２０は、ユーザの個人情報および携帯通信端末１０ａの正当性を判断するための認証用情報が予め格納される記憶部２１と、携帯通信端末１０ａから受信した認証用情報が記憶部２１に格納されている認証用情報と合致する場合にのみ、携帯通信端末１０ａに対して記憶部２１に格納されている個人情報へのアクセスを許可する制御部２４とを有する。【選択図】図２
2005094351.tif 000002
【特許請求の範囲】
【請求項１】
ユーザが所持する少なくとも１つの携帯通信端末と、
前記携帯通信端末との間で近距離無線通信による相互通信が行われる、前記ユーザが所持する携帯型の外部メモリシステムとを有し、
前記携帯型の外部メモリシステムは、
前記ユーザの個人情報および前記携帯通信端末の正当性を判断するための認証用情報が予め格納される第１の記憶部と、
前記携帯通信端末から受信した認証用情報が前記第１の記憶部に格納されている認証用情報と合致する場合にのみ、前記携帯通信端末に対して前記第１の記憶部に格納されている個人情報へのアクセスを許可する第１の制御部とを有する、個人情報保存・管理システム。
【請求項２】
前記携帯型の外部メモリシステムは、第１の入力部および第１の表示部をさらに備え、前記ユーザが前記第１の入力部にて所定の入力操作を行うと、前記第１の制御部が、前記ユーザに対して前記個人情報へのアクセスに必要な認証用情報の入力を要求し、該要求に応じて前記ユーザが入力する認証用情報が前記第１の記憶部に格納されている認証用情報と合致する場合にのみ、前記第１の記憶部から前記個人情報を読み出して前記第１の表示部に表示させる、請求項１に記載の個人情報保存・管理システム。
【請求項３】
前記携帯通信端末は、
第２の入力部と、
第２の表示部と、
前記認証用情報が予め格納される第２の記憶部と、
前記ユーザが前記第２の入力部にて電話の発信または電子メールの送信のための入力操作を行うと、前記第２の記憶部に格納されている認証用情報を前記携帯通信端末から前記携帯型の外部メモリシステムへ送信させるとともに、前記電話の発信または電子メールの送信に必要な個人情報を前記携帯型の外部メモリシステムから取得して前記第２の表示部に表示させる第２の制御部とを有する、請求項１に記載の個人情報保存・管理システム。
【請求項４】
前記第２の制御部が、前記携帯通信端末における電話の着信時または電子メールの受信時に、前記第２の記憶部に格納されている認証用情報を前記携帯通信端末から前記携帯型の外部メモリシステムへ送出させるとともに、前記着信した電話の発信者または前記受信した電子メールの送信者に関する個人情報を前記携帯型の外部メモリシステムから取得して前記第２の表示部に表示させる、請求項３に記載の個人情報保存・管理システム。
【請求項５】
前記携帯通信端末は複数あり、
前記第１の制御部が、前記認証用情報が合致した少なくとも２つの携帯通信端末に対して同時に前記第１の記憶部に格納されている個人情報へのアクセスを許可する、請求項１に記載の個人情報保存・管理システム。
【請求項６】
前記携帯型の外部メモリシステムとの間で近距離無線通信による相互通信が行われるシステム装置をさらに有し、
前記システム装置は、
第３の入力部と、
前記ユーザが前記第３の入力部にて所定の入力操作を行うと、前記ユーザに対して前記第１の記憶部に格納されている個人情報へのアクセスに必要な認証用情報の入力を要求し、該要求に応じて前記ユーザが入力する認証用情報を前記システム装置から前記携帯型の外部メモリシステムへ送信させる第３の制御部とを有し、
前記第１の制御部が、前記システム装置から受信した認証用情報が前記第１の記憶部に格納されている認証用情報と合致する場合にのみ、前記システム装置に対して前記第１の記憶部に格納されている個人情報へのアクセスを許可する、請求項１に記載の個人情報保存・管理システム。
【請求項７】
所定の通信網に接続されるとともに、前記システム装置と無線または有線により接続された通信端末をさらに有し、
前記システム装置は、第３の表示部をさらに有し、前記第３の制御部が、前記通信端末を介した電話の発信または電子メールの送信を行うための宛先情報を前記携帯型の外部メモリシステムから取得して前記第３の表示部に表示させる、請求項６に記載の個人情報保存・管理システム。
【請求項８】
前記携帯型の外部メモリシステムが腕時計よりなる、請求項１から７のいずれか１項に記載の個人情報保存・管理システム。
【請求項９】
少なくとも１つの携帯通信端末との間で近距離無線通信による相互通信が行われる、ユーザが所持する携帯型の外部メモリシステムであって、
前記ユーザの個人情報および前記携帯通信端末の正当性を判断するための認証用情報が予め格納される記憶部と、
前記携帯通信端末から受信した認証用情報が前記記憶部に格納されている認証用情報と合致する場合にのみ、前記携帯通信端末に対して前記記憶部に格納されているユーザの個人情報へのアクセスを許可する制御部とを有する、携帯型の外部メモリシステム。
【請求項１０】
入力部および表示部をさらに備え、前記制御部が、前記ユーザに対して前記個人情報へのアクセスに必要な認証用情報の入力を要求し、該要求に応じて前記ユーザが入力する認証用情報が前記記憶部に格納されている認証用情報と合致する場合にのみ、前記記憶部から前記個人情報を読み出して前記表示部に表示させる、請求項９に記載の携帯型の外部メモリシステム。
【請求項１１】
ユーザが所持する少なくとも１つの携帯通信端末と、該携帯通信端末との間で近距離無線通信による相互通信が行われる、前記ユーザが所持する携帯型の外部メモリシステムとを有するシステムにおいて行われる個人情報保存・管理方法であって、
前記携帯型の外部メモリシステムが、前記ユーザの個人情報および前記携帯通信端末の正当性を判断するための認証用情報を第１の記憶部に予め格納しておくステップと、
前記携帯通信端末が、前記個人情報へのアクセスのために前記ユーザが入力する認証用情報を前記携帯型の外部メモリシステムへ送信するステップと、
前記携帯型の外部メモリシステムが、前記携帯通信端末から受信した認証用情報が前記第１の記憶部に格納されている認証用情報と合致する場合にのみ、前記携帯通信端末に対して前記第１の記憶部に格納されているユーザの個人情報へのアクセスを許可するステップとを含む、個人情報保存・管理方法。
【請求項１２】
前記携帯型の外部メモリシステムが、前記ユーザによる所定の入力操作が行われると、前記ユーザに対して前記個人情報へのアクセスに必要な認証用情報の入力を要求し、該要求に応じて前記ユーザが入力する認証用情報が前記第１の記憶部に格納されている認証用情報と合致する場合にのみ、前記第１の記憶部から前記個人情報を読み出して表示するステップをさらに含む、請求項１１に記載の個人情報保存・管理方法。
【請求項１３】
前記携帯通信端末が、前記ユーザにより入力される認証用情報を第２の記憶部に格納しておき、前記ユーザによる電話の発信または電子メールの送信のための入力操作が行われると、前記第２の記憶部に格納されている認証用情報を前記携帯型の外部メモリシステムへ送信するとともに、前記電話の発信または電子メールの送信に必要な個人情報を前記携帯型の外部メモリシステムから取得して表示するステップをさらに含む、請求項１１に記載の個人情報保存・管理方法。
【請求項１４】
前記携帯通信端末が、電話の着信時または電子メールの受信時に、前記第２の記憶部に格納されている認証用情報を前記携帯型の外部メモリシステムへ送信するとともに、前記着信した電話の発信者または前記受信した電子メールの送信者に関する個人情報を前記携帯型の外部メモリシステムから取得して表示するステップをさらに含む、請求項１３に記載の個人情報保存・管理方法。
【請求項１５】
前記携帯型の外部メモリシステムが、前記認証用情報が合致した少なくとも２つの携帯通信端末に対して同時に前記第１の記憶部に格納されている個人情報へのアクセスを許可するステップを含む、請求項１１に記載の個人情報保存・管理方法。
【請求項１６】
前記携帯型の外部メモリシステムとの間で近距離無線通信による相互通信が行われるシステム装置が、前記ユーザによる所定の入力操作が行われると、前記ユーザに対して前記個人情報へのアクセスに必要な認証用情報の入力を要求し、該要求に応じて前記ユーザが入力する認証用情報を前記携帯型の外部メモリシステムへ送信するステップと、
前記携帯型の外部メモリシステムが、前記システム装置から受信した認証用情報が前記第１の記憶部に格納された認証用情報と合致する場合にのみ、前記システム装置に対して前記第１の記憶部に格納されている個人情報へのアクセスを許可するステップをさらに含む、請求項１に記載の個人情報保存・管理方法。
【請求項１７】
前記システム装置が、所定の通信網に接続された通信端末を介した電話の発信または電子メールの送信を行うために必要な宛先情報を前記携帯型の外部メモリシステムから取得して表示するステップをさらに含む、請求項１６に記載の個人情報保存・管理方法。
【請求項１８】
ユーザが所持する少なくとも１つの携帯通信端末と、該携帯通信端末との間で近距離無線通信による相互通信が行われる、前記ユーザが所持する携帯型の外部メモリシステムとを有するシステムにおいて用いられるプログラムであって、
前記ユーザの個人情報および前記携帯通信端末の正当性を判断するための認証用情報を第１の記憶部に予め格納しておく処理を、前記携帯型の外部メモリシステムのコンピュータに実行させ、
前記個人情報へのアクセスのために前記ユーザが入力する認証用情報を前記携帯型の外部メモリシステムへ送信する処理を、前記携帯通信端末のコンピュータに実行させ、
前記携帯通信端末から受信した認証用情報が前記第１の記憶部に格納されている認証用情報と合致する場合にのみ、前記携帯通信端末に対して前記第１の記憶部に格納されているユーザの個人情報へのアクセスを許可する処理を、前記携帯型の外部メモリシステムのコンピュータに実行させるプログラム。
【発明の詳細な説明】
【技術分野】
【０００１】
本発明は、携帯電話端末や携帯情報端末（ＰＤＡ）などの携帯通信端末にて利用される、ユーザの個人情報を保存して管理するシステムおよび方法ならびにプログラムに関する。
【背景技術】
【０００２】
携帯電話端末は、個人情報が蓄積されるメモリダイヤルと呼ばれる電話帳（アドレス帳ともいう）を備えており、この電話帳に格納されているデータを使用して電子メールや電話の発信を簡単に行うことができる。しかし、通常、電話帳に格納されているデータは、電話番号などの一部のデータを除いて、他の携帯電話端末に移行することができない。このため、例えば、修理により代替の携帯電話端末を使用する場合に、電話帳に格納されているメールアドレスなどのデータを代替機に移行して使用することはできなかった。また、携帯電話端末を他の通信キャリアのものに変更する場合は、新しい携帯電話端末の電話帳にデータを入力し直す、または、ＰＣ（パーソナルコンピュータ）などに元の電話帳のデータをコピーしておき、それを新しい携帯電話端末に移し変える、といったことが行われており、非常に手間がかかっていた。
【０００３】
そこで、電話帳に格納されている全ての個人情報を他の携帯電話端末でも使用できるようにしたものが提案されている。例えば、特許文献１には、脱着可能な個人情報記憶手段を備える携帯電話装置が記載されている。この携帯電話装置では、装着した個人情報記憶手段に電話帳の個人情報を格納する。この個人情報記憶手段を他の携帯電話装置に装着して、電話帳の個人情報を使用する。
【０００４】
上記の他、特許文献２に記載された、ＳＩＭ（Subscriber Identity Module）カードを備える携帯電話端末もある。この携帯電話端末では、ＳＩＭカードに格納した電話帳データを他の携帯電話端末でも使用することができる。
【特許文献１】特開２００１−８６２２０号公報
【特許文献２】特開２００３−４６６３４号公報
【発明の開示】
【発明が解決しようとする課題】
【０００５】
上述したように、一般の携帯電話端末は、電話帳データをそのまま代替機や新しい携帯電話端末で使用することができなかったため、不便である。また、電話帳データをＰＣなどにコピーする場合は、データリンクケーブルやメモリカード等の媒体を使用する必要があり、セッティングに手間がかかる。この他、以下のような問題もある。
【０００６】
携帯電話端末を紛失したり、どこかに置き忘れたりした場合には、蓄積されている個人情報を他人に悪用される。
【０００７】
また、メモリ容量は機種毎に決まっており、電話帳に多くの情報を登録するユーザは、高価な大容量メモリを搭載した機種を購入しなければならなかった。加えて、購入した携帯電話端末の電話帳の登録可能件数を越えて情報を登録する場合は、外部メモリカードを購入する必要があった。さらに、携帯電話端末は、通常、ある程度の電話帳データの登録数を確保するようにメモリ容量が設定されているため、取り扱う個人情報の量が少ないユーザに対しては、必要以上のメモリ容量を提供することになる。これらの問題は、ユーザへのコスト面における負担を大きくする。
【０００８】
特許文献１、２に記載のものにおいては、電話帳データを他の携帯電話端末で使用することができるものの、携帯電話端末内に電話帳データをダウンロードするためのメモリが必要なため、上記のユーザへの負担の問題を生じる。また、携帯電話端末で通話中に、ＰＣ等でその携帯電話端末の電話帳データを参照して電子メールを送信する、といった利用の仕方を行うことができなかった。
【０００９】
本発明の目的は、上記問題を解決し、電話帳データなどの個人情報を他の携帯電話端末またはＰＣで簡単に利用することができる、ユーザへのコスト面での負担の少ない、個人情報保存・管理システム、個人情報保存・管理方法、携帯型の外部メモリシステムおよびプログラムを提供することにある。
【課題を解決するための手段】
【００１０】
本発明の主要な特徴は、ユーザが所持する少なくとも１つの携帯通信端末と、該携帯通信端末との間で近距離無線通信による相互通信が行われる、前記ユーザが所持する携帯型の外部メモリシステムとを有するシステムにおいて、前記携帯型の外部メモリシステムが、前記ユーザの個人情報および前記携帯通信端末の正当性を判断するための認証用情報を第１の記憶部に予め格納しておき、前記携帯通信端末が、前記個人情報へのアクセスのために前記ユーザが入力する認証用情報を前記携帯型の外部メモリシステムへ送信し、前記携帯型の外部メモリシステムが、前記携帯通信端末から受信した認証用情報が前記第１の記憶部に格納されている認証用情報と合致する場合にのみ、前記携帯通信端末に対して前記第１の記憶部に格納されているユーザの個人情報へのアクセスを許可するように構成した点にある。
【００１１】
上記の構成によれば、電話帳データなどの個人情報は携帯型の外部メモリシステムに格納され、携帯通信端末である携帯電話端末には格納されないため、携帯電話端末のメモリ容量は、その個人情報の格納が必要ない分だけ小さくなる。このため、電話帳に多くの情報を登録するユーザであっても、また、取り扱う個人情報の量が少ないユーザであっても、ともにメモリ容量の小さな携帯電話端末を購入することが可能である。
【００１２】
また、個人情報を携帯電話端末に格納していないため、携帯電話端末を紛失したり、置き忘れたりした場合に個人情報が悪用されることもない。
【００１３】
さらに、ユーザは、手元に携帯電話端末がない場合に、知人から借用した携帯電話端末で、携帯型の外部メモリシステムに格納されている個人情報をそのまま利用して電話の発信を行うことが可能である。
【００１４】
さらに、新規契約や機種変更等で携帯電話端末が替わった場合でも、その携帯電話端末で、携帯型の外部メモリシステムに格納されている個人情報をそのまま利用することが可能である。
【００１５】
携帯電話端末が故障して代替機を提供された場合は、ユーザは、その代替機を使用して携帯型の外部メモリシステムに格納した個人情報へのアクセスすることができる。
【００１６】
本発明の別の特徴は、前記携帯型の外部メモリシステムが、前記ユーザによる所定の入力操作が行われると、前記ユーザに対して前記個人情報へのアクセスに必要な認証用情報の入力を要求し、該要求に応じて前記ユーザが入力する認証用情報が前記第１の記憶部に格納されている認証用情報と合致する場合にのみ、前記第１の記憶部から前記個人情報を読み出して表示するように構成した点にある。この構成によれば、携帯型の外部メモリシステム自体で個人情報を表示させることができるので、携帯電話端末を自宅に忘れた場合でも、その携帯型の外部メモリシステムを用いて必要な個人情報の取得が可能である。
【００１７】
本発明の他の特徴は、前記携帯通信端末が、前記ユーザにより入力される認証用情報を第２の記憶部に格納しておき、前記ユーザによる電話の発信または電子メールの送信のための入力操作が行われると、前記第２の記憶部に格納されている認証用情報を前記携帯型の外部メモリシステムへ送信するとともに、前記電話の発信または電子メールの送信に必要な個人情報を前記携帯型の外部メモリシステムから取得して表示するように構成した点にある。この構成によれば、電話の発信時および電子メールの送信時に個人情報の自動表示が可能となる。
【００１８】
本発明の他の特徴は、前記携帯通信端末が、電話の着信時または電子メールの受信時に、前記第２の記憶部に格納されている認証用情報を前記携帯型の外部メモリシステムへ送信するとともに、前記着信した電話の発信者または前記受信した電子メールの送信者に関する個人情報を前記携帯型の外部メモリシステムから取得して表示するように構成した点にある。この構成によれば、電話の発信者および電子メールの送信者に関する個人情報の自動表示が可能となる。
【００１９】
本発明の他の特徴は、前記携帯型の外部メモリシステムが、前記認証用情報が合致した少なくとも２つの携帯通信端末に対して同時に前記第１の記憶部に格納されている個人情報へのアクセスを許可するように構成した点にある。この構成によれば、携帯通信端末で、携帯型の外部メモリシステムに格納された個人情報を参照して電話の発信を行うと同時に、他の携帯通信端末（例えばＰＣ）で、携帯型の外部メモリシステムに格納された個人情報を参照してメールの送受信を行うことが可能となる。
【００２０】
本発明の他の特徴は、前記携帯型の外部メモリシステムとの間で近距離無線通信による相互通信が行われるシステム装置が、前記ユーザによる所定の入力操作が行われると、前記ユーザに対して前記個人情報へのアクセスに必要な認証用情報の入力を要求し、該要求に応じて前記ユーザが入力する認証用情報を前記携帯型の外部メモリシステムへ送信し、前記携帯型の外部メモリシステムが、前記システム装置から受信した認証用情報が前記第１の記憶部に格納された認証用情報と合致する場合にのみ、前記システム装置に対して前記第１の記憶部に格納されている個人情報へのアクセスを許可するように構成した点にある。この場合、前記システム装置が、所定の通信網に接続された通信端末を介した電話の発信または電子メールの送信を行うために必要な宛先情報を前記携帯型の外部メモリシステムから取得して表示するようにしてもよい。このような構成によれば、システム装置にて携帯型の外部メモリシステムに格納した個人情報を参照して電話の発信およびメールの送信を行うことが可能となる。
【発明の効果】
【００２１】
上記のとおりの本発明によれば、知人から借用した携帯電話端末、代替機、新規契約や機種変更等で新規に購入した携帯電話端末、ＰＣであっても、データの移し替えを行うことなく、携帯型の外部メモリシステムに格納されている個人情報（電話帳データなど）をそのまま利用することが可能であるので、利便性が向上する。
【００２２】
また、ユーザは、取り扱う電話帳データの量に関係なく、メモリ容量の小さな携帯電話端末を購入することができるので、ユーザへのコスト面での負担を小さくすることがきる。
【００２３】
さらに、個人情報を携帯電話端末に格納していないため、携帯電話端末を紛失したり、置き忘れたりした場合に個人情報が悪用されることを防止することができる。
【００２４】
さらに、ＰＣでメールを作成しながら携帯電話端末で通話をする、といった利用が可能であるので、利便性がさらに向上する。
【発明を実施するための最良の形態】
【００２５】
図１に、本発明の一実施形態である個人情報保存・管理システムの概念図を示す。この個人情報保存・管理システムは、複数の携帯電話端末１０ａ、１０ｂと、これら端末と近距離無線通信（例えば「Bluetooth」（登録商標）や赤外線通信）による相互通信が可能に構成された腕時計２０と、公衆電話などの通信端末４０に隣接して配置されるシステム装置３０とからなる。図１中、携帯電話端末は２つしか示されていないが、携帯電話端末は１つであっても、３つ以上であってもよい。
【００２６】
携帯電話端末１０ａ、１０ｂは、ブラウザフォンに代表される携帯電話機であって、ユーザの個人情報を利用した処理機能（例えば電話の発着信や電子メールの送受信）を有する。腕時計２０は、ユーザの個人情報（電話帳データ等）であるデータｘを格納するための携帯型の外部メモリシステムである。システム装置３０は、腕時計２０と近距離無線通信による相互通信が可能であり、腕時計２０からデータｘを受信する。システム装置３０と通信端末４０の間は、有線または無線を介して接続されており、通信端末４０では、システム装置３０からデータｘを取得して電話の発着信や電子メールの送受信を行うことができる。
【００２７】
本実施形態の個人情報保存・管理システムでは、携帯電話端末１０ａには、ユーザの個人情報の一部であるデータｙ（例えば、着信履歴、リダイヤルに必要なデータ、送受信メールなど）のみが格納され、その他のデータ（電話帳データを含む）はデータｘとして、ユーザが普段身に付けている腕時計２０に格納されている。携帯電話端末１０と腕時計２０の間を近距離無線通信により接続することで、ユーザは、携帯電話端末１０上で、腕時計２０に格納されているデータｘから必要な個人情報を自由に取得することができる。
【００２８】
また、腕時計２０とシステム装置３０の間を近距離無線通信により接続することで、ユーザは、腕時計２０に格納されているデータｘをシステム装置３０に送信することができる。この結果、ユーザは、通信端末４０上で、システム装置３０にて受信したデータｘを利用して電話の発着信や電子メールの送受信を行うことができる。具体的には、ユーザは、公衆電話にて、個人情報（データｘ）を利用した電話の発着信や電子メールの送受信を行うことができる。
【００２９】
他の携帯電話端末１０ｂについても、個人情報の一部であるデータｙ’のみが格納され、その他のデータはデータｘとして腕時計２０に格納されている。携帯電話端末１０ｂと腕時計２０の間を近距離無線通信により接続することで、ユーザは、他の携帯電話端末１０ｂ上で、腕時計２０に格納されているデータｘから必要な個人情報を自由に取得することができる。この携帯電話端末１０ｂによる腕時計２０からの個人情報の取得と、上記携帯電話端末１０ａによる腕時計２０からの個人情報の取得は同時に行うことができる。各携帯電話端末１０ａ、１０ｂにて取得される個人情報は、一部または全部が同一であってもよい。
【００３０】
図２に、図１に示したシステムを構成する携帯電話端末、腕時計およびシステム装置のそれぞれについての主要な構成を示す。図１に示した携帯電話端末１０ａ、１０ｂはともに同じ構成であるので、図２の例では、携帯電話端末１０ａのみを示してある。
【００３１】
図２を参照すると、携帯電話端末１０ａの主要部は、腕時計２０との間で近距離無線通信を行うための無線部１１と、個人情報の一部であるデータｙを格納する記憶部１２と、入力用ボタンやジョグダイヤルなどからなる入力部１３と、液晶ディスプレイよりなる表示部１４と、入力部１３からの入力を受け付けて、無線部１１、記憶部１２および表示部１４の動作を制御する制御部１５とから構成されている。
【００３２】
腕時計２０の主要部は、時計としての機能の他に、携帯電話端末１０ａおよびシステム装置３０との間で近距離無線通信を行うための無線部２１と、個人情報の一部（データｙ）を除くデータｘを格納する記憶部２２と、液晶ディスプレイよりなり、記憶部２２に保存されているデータｘを表示するための表示部２３と、これら無線部２１、記憶部２２および表示部２３の動作を制御する制御部２４とを有する。表示部２３には、時計として備えられている、時間表示用の表示装置を用いることができる。
【００３３】
システム装置３０の主要部は、腕時計２０との間で近距離無線通信を行うための無線部３１と、キーボードより構成される入力部３２と、液晶ディスプレイよりなる表示部３３と、入力部３２からの入力を受け付けて無線部３１および表示部３３の動作を制御する制御部３４とを有する。
【００３４】
以下に、図２に示したシステムの動作について説明する。
【００３５】
（１）認証設定およびその解除：
ユーザは、腕時計２０を外部記憶装置として利用するにあたって、携帯電話端末１０ａの認証設定を行う。この認証設定では、ユーザが、入力部１３にて、認証設定のための入力操作を行う。この入力操作により、制御部１５が記憶部１２に予め格納されている認証設定処理用のプログラムを読み出して実行する。プログラムが実行されると、制御部１５は、ユーザに対して、暗証番号の入力を要求する。この要求に応じて、ユーザが暗証番号を入力すると、制御部１５が、その入力された暗証番号と自端末に予め付与されているＩＤ番号（携帯電話端末を提供する通信キャリアがユーザとの利用契約をする際に付与される）を認証用情報として無線部１１から腕時計２０へ送信する。腕時計２０では、制御部２４が、無線部２１にて受信される携帯電話端末１０ａからの認証用情報を記憶部２２に格納する。これ以降は、制御部２４は、この記憶部２２に格納したＩＤ番号に基づいて携帯電話端末１０ａからのアクセスの可否を判断する。
【００３６】
認証設定を解除する場合は、ユーザは、携帯電話端末１０ａの入力部１３にて、認証設定解除のための入力操作を行う。この操作により、制御部１５が記憶部１２に予め格納されている認証設定解除用のプログラムを読み出して実行する。プログラムが実行されると、制御部１５は、ユーザに対して、暗証番号の入力を要求する。この要求に応じて、ユーザが暗証番号を入力すると、制御部１５が、その入力された暗証番号と自端末のＩＤ番号とを無線部１１から腕時計２０へ送信する。腕時計２０では、制御部２４が、無線部２１にて受信される暗証番号および暗証番号と記憶部２２に格納されている認証用情報とを照合する。
【００３７】
照合結果が不一致となった場合は、制御部２４が、正常に認証処理が終了しなかった旨の通知を無線部２１から携帯電話端末１０ａへ送信する。携帯電話端末１０ａでは、正常に認証処理が終了しなかった旨の通知を受信すると、制御部１５が、その旨のメッセージを表示部１４にて表示させ、認証設定解除処理を終了する。照合結果が一致した場合は、制御部２４が、記憶部２２に格納されている携帯電話端末１０ａに関する認証用情報を消去するとともに、認証設定の解除が正常に行われた旨の通知を無線部２１から携帯電話端末１０ａへ送信する。携帯電話端末１０ａでは、正常に認証処理が終了しなかった旨の通知を受信すると、制御部１５が、その旨のメッセージを表示部１４にて表示させ、認証設定解除処理を終了する。
【００３８】
（２）ユーザによる腕時計２０への個人情報の登録およびその編集：
（２−ａ）個人情報の登録
ユーザは、手入力により個人情報を腕時計２０に登録する場合は、まず、携帯電話端末１０ａの入力部１３にて個人情報を登録するための入力操作を行う。この操作により、制御部１５が記憶部１２に予め格納されている個人情報登録用のプログラムを読み出して実行する。プログラムが実行されると、制御部１５は、自端末のＩＤ番号を無線部１１から腕時計２０へ送信する。腕時計２０では、無線部２１にてＩＤ番号が受信されると、制御部２４が、その受信したＩＤ番号を記憶部２２に格納されているＩＤ番号と照合する。
【００３９】
照合結果が不一致となった場合は、制御部２４は、正常に認証処理が終了しなかった旨の通知を無線部２１から携帯電話端末１０ａへ送信する。携帯電話端末１０ａでは、正常に認証処理が終了しなかった旨の通知を受信すると、制御部１５が、その旨のメッセージを表示部１４にて表示させ、個人情報登録処理を終了する。照合結果が一致した場合は、制御部２４は、認証処理が正常に終了した旨の通知を無線部２１から携帯電話端末１０ａへ送信する。携帯電話端末１０ａでは、認証処理が正常に終了した旨の通知を受信すると、制御部１５が、腕時計２０を外部記憶装置として利用することができる旨のメッセージを表示部１４にて表示させる。こうして、携帯電話端末１０ａは、腕時計２０へのアクセスが可能な状態となる。
【００４０】
腕時計２０へのアクセスが可能な状態となると、携帯電話端末１０ａでは、制御部１５が、ユーザに対して登録した個人情報の入力を要求する。この要求に応じて、ユーザが、入力部１３にて個人情報を入力すると、制御部１５が、ユーザに対してその入力された個人情報を腕時計２０へ登録してよいかどうかの確認を求める。この要求に応じて、ユーザが、登録を実行する旨の入力（実行ボタンの押下）を行うと、制御部１５が、ユーザが入力した個人情報を無線部１１から腕時計２０へ送信する。腕時計２０では、無線部２１にて個人情報が受信されると、制御部２４が、その受信した個人情報をデータｘとして記憶部２２に格納する。こうして個人情報の腕時計２０への登録、すなわち電話帳データの登録が行われる。
【００４１】
（２−ｂ）個人情報の編集
登録した個人情報を編集する場合は、ユーザは、携帯電話端末１０ａの入力部１３にて個人情報を編集するための入力操作を行う。この操作により、制御部１５が記憶部１２に予め格納されている個人情報編集用のプログラムを読み出して実行する。プログラムが実行されると、制御部１５は、自端末のＩＤ番号を無線部１１から腕時計２０へ送信する。腕時計２０では、無線部２１にてＩＤ番号が受信されると、制御部２４が、その受信したＩＤ番号を記憶部２２に格納されているＩＤ番号と照合する。
【００４２】
照合結果が不一致となった場合は、制御部２４は、正常に認証処理が終了しなかった旨の通知を無線部２１から携帯電話端末１０ａへ送信する。携帯電話端末１０ａでは、正常に認証処理が終了しなかった旨の通知を受信すると、制御部１５が、その旨のメッセージを表示部１４にて表示させ、個人情報編集処理を終了する。照合結果が一致した場合は、制御部２４は、認証処理が正常に終了した旨の通知を無線部２１から携帯電話端末１０ａへ送信する。携帯電話端末１０ａでは、認証処理が正常に終了した旨の通知を受信すると、制御部１５が、腕時計２０を外部記憶装置として利用することができる旨のメッセージを表示部１４にて表示させる。こうして、携帯電話端末１０ａは、腕時計２０へのアクセスが可能な状態となる。
【００４３】
腕時計２０へのアクセスが可能な状態となると、携帯電話端末１０ａでは、制御部１５が、ユーザに対して編集したい個人情報の入力を要求する。この要求に応じて、ユーザが、入力部１３にて編集したい個人情報を入力すると、制御部１５が、ユーザに対してその入力された個人情報を編集してよいかどうかの確認を求める。この確認に応じて、ユーザが、編集を実行する旨の入力（実行ボタンの押下）を行うと、制御部１５が、ユーザが入力した個人情報の内容の送信指示を無線部１１から腕時計２０へ送信する。腕時計２０では、無線部２１にて送信指示が受信されると、制御部２４が、該当する個人情報を記憶部２２から読み出して無線部２１から携帯電話端末１０ａへ送信する。携帯電話端末１０ａでは、該当する個人情報を受信すると、制御部１５が、その受信した該当する個人情報を表示部１４にて表示させる。ユーザは、その表示された個人情報の内容を確認し、入力部１３にて、必要に応じてその内容を変更するための入力操作を行う。
【００４４】
ユーザのよる個人情報の内容変更が行われると、制御部１５が、ユーザに対してその変更内容でよいかどうかの確認を求める。この確認に応じて、ユーザが、入力部１３にて実行ボタンを押下すると、制御部１５が、ユーザが入力した変更内容を無線部１１から腕時計２０へ送信する。腕時計２０では、無線部２１にて変更内容が受信されると、制御部２４が、記憶部２２に格納されている該当する個人情報に受信した変更内容を反映させる。こうして、登録した個人情報の編集が行われる。
【００４５】
（３）携帯電話端末１０ａを使用した電話の発着信
（３ａ）電話の着信
携帯電話端末１０ａでは、電話の着信があると、制御部１５が、上述した認証処理を行うために、自端末のＩＤ番号を無線部１１から腕時計２０へ送信する。認証処理は、上述した通りである。
【００４６】
認証処理後、腕時計２０へのアクセスが可能な状態となると、携帯電話端末１０ａでは、制御部１５が、記憶部２２に格納されている個人情報から必要な情報、例えば、発信者に関する情報を腕時計２０から取得して表示部１４に表示させる。これにより、ユーザは、着信時に発信者の情報を得ることができる。
【００４７】
また、表示部１４に表示した個人情報について、ユーザが、入力部１３にて、その内容を編集するための入力操作を行って個人情報の内容変更を行うと、制御部１５が、ユーザに対してその変更内容でよいかどうかの確認を求める。この確認に応じて、ユーザが、入力部１３にて実行ボタンを押下すると、制御部１５が、ユーザが入力した変更内容を無線部１１から腕時計２０へ送信する。腕時計２０では、無線部２１にて変更内容が受信されると、制御部２４が、記憶部２２に格納されている該当する個人情報に受信した変更内容を反映させる。こうして、電話の着信時における電話帳データを利用した処理が行われる。
【００４８】
（３−ｂ）電話の発信
電話の発信のために、ユーザが携帯電話端末１０ａの入力部１３にて、個人情報を表示するための入力操作を行うと、制御部１５が、上述した認証処理を行うために、自端末のＩＤ番号を無線部１１から腕時計２０へ送信する。認証処理は、上述した通りである。
【００４９】
認証処理後、腕時計２０へのアクセスが可能な状態となると、携帯電話端末１０ａでは、制御部１５が、記憶部２２に格納されている個人情報から、ユーザが要求する情報、例えば、宛先に関する情報を腕時計２０から取得して表示部１４に表示させる。これにより、ユーザは、表示部１４に表示した個人情報を参照して発信操作を行うことができる。こうして、電話の発信時における電話帳データを利用した処理が行われる。
【００５０】
（４）携帯電話端末１０ａを使用した電子メールの送受信
（４−ａ）メール受信
携帯電話端末１０ａでは、電子メールを受信すると、制御部１５が、上述した認証処理を行うために、自端末のＩＤ番号を無線部１１から腕時計２０へ送信する。認証処理は、上述した通りである。
【００５１】
認証処理後、腕時計２０へのアクセスが可能な状態となると、携帯電話端末１０ａでは、制御部１５が、記憶部２２に格納されている個人情報から、メール送信者に関する情報を腕時計２０から取得して表示部１４に表示させる。これにより、ユーザは、メール受信時にメール送信者の情報を得ることができる。
【００５２】
また、表示部１４に表示したメール送信者の情報について、ユーザが、入力部１３にて、その内容を編集するための入力操作を行って個人情報の内容変更を行うと、制御部１５が、ユーザに対してその変更内容でよいかどうかの確認を求める。この確認に応じて、ユーザが、入力部１３にて実行ボタンを押下すると、制御部１５が、ユーザが入力した変更内容を無線部１１から腕時計２０へ送信する。腕時計２０では、無線部２１にて変更内容が受信されると、制御部２４が、記憶部２２に格納されている該当するメール送信者の情報に受信した変更内容を反映させる。こうして、メール受信時における電話帳データを利用した処理が行われる。
【００５３】
（４−ｂ）メール送信
電子メールの送信のために、ユーザが携帯電話端末１０ａの入力部１３にて、個人情報を表示するための入力操作を行うと、制御部１５が、上述した認証処理を行うために、自端末のＩＤ番号を無線部１１から腕時計２０へ送信する。認証処理は、上述した通りである。
【００５４】
認証処理後、腕時計２０へのアクセスが可能な状態となると、携帯電話端末１０ａでは、制御部１５が、記憶部２２に格納されている個人情報から、ユーザが要求する情報、例えば、宛先に関する情報を腕時計２０から取得して表示部１４に表示させる。これにより、ユーザは、表示部１４に表示した個人情報を参照してメールの送信操作を行うことができる。こうして、メール送信時における電話帳データを利用した処理が行われる。
【００５５】
（５）通信端末４０を使用した電話の発信
ユーザは、最寄りの公衆電話ボックスまで行き、そこで通信端末４０を使用した電話の発信を行う。電話の発信を行うにあたり、ユーザは、まず、通信端末４０に隣接して配置されているシステム装置３０の入力部３２にて、個人情報を表示するための入力操作を行う。この操作により、制御部３４が不図示の記憶部に予め格納されている個人情報を読み出すためのプログラムを実行する。プログラムが実行されると、制御部３４は、ユーザに対して、暗証番号の入力を要求する。この要求に応じて、ユーザが、入力部３２にて暗証番号を入力すると、制御部３４が、その入力された暗証番号を無線部３１から腕時計２０へ送信する。腕時計２０では、制御部２４が、無線部２１にて受信された暗証番号と記憶部２２に格納されている認証情報とを照合する。
【００５６】
照合結果が不一致となった場合は、制御部２４は、正常に認証処理が終了しなかった旨の通知を無線部２１からシステム装置３０へ送信する。システム装置３０では、正常に認証処理が終了しなかった旨の通知を受信すると、制御部３４が、その旨のメッセージを表示部３３にて表示させ、個人情報を読み出すための処理を終了する。照合結果が一致した場合は、制御部２４は、認証処理が正常に終了した旨の通知を無線部２１からシステム装置３０へ送信する。システム装置３０では、認証処理が正常に終了した旨の通知を受信すると、制御部３４が、腕時計２０へのアクセスが可能である旨のメッセージを表示部３３に表示させる。
【００５７】
腕時計２０へのアクセスが可能な状態となると、システム装置３０では、制御部３４が、記憶部２２に格納されている個人情報のうち、ユーザが要求する情報、例えば、宛先に関する情報を腕時計２０から取得して表示部３３に表示させる。これにより、ユーザは、表示部３３に表示した個人情報を参照して、入力部３２にて通信端末４０を介した発信操作を行うことができる。こうして、通信端末４０を利用した電話の発信時における電話帳データを利用した処理が行われる。
【００５８】
（６）通信端末４０を使用した電子メールの送受信
ユーザが、システム装置３０の入力部３２にて、電子メールを送受信するための入力操作を行うと、制御部３４が、不図示の記憶部に予め格納されている電子メールのためのプログラムを実行する。プログラムが実行されると、制御部３４は、認証処理を行うために、ユーザに対して暗証番号の入力を要求し、この要求に応じてユーザが入力した暗証番号を無線部３１から腕時計２０へ送信する。この認証処理は、上述の「（５）通信端末４０を使用した電話の発信」で説明した通りであるので、ここではその説明を省略する。
【００５９】
認証処理後、腕時計２０へのアクセスが可能な状態となる。システム装置３０では、制御部３４が、記憶部２２に格納されている個人情報のうち、ユーザが要求する情報、例えば、メール送信先に関する情報を腕時計２０から取得して表示部３３に表示させる。これにより、ユーザは、表示部３３に表示した個人情報を参照して、入力部３２にて通信端末４０を介したメール送信を行うことができる。また、メール受信の際は、制御部３４は、送信者に関する情報を腕時計２０から取得して表示部３３に表示させる。これにより、ユーザは、通信端末４０を介して受信される電子メールについて、その送信者の情報を得ることができる。こうして、通信端末４０を利用したメール送受信時における電話帳データを利用した処理が行われる。
【００６０】
なお、通信端末４０を利用したメール送受信を行うには、ユーザは、予め、システム装置３０上で、メール送受信に必要な情報（予め与えられているメールアドレスやメールサーバ名など）の設定を行う必要がある。また、通信端末４０の利用料金（通信料金）を徴収する手法としては、例えばユーザが所持しているクレジットカードによるカード決済や、ＩＣカードなどの課金処理が可能な媒体を使用した決済など、既存の決済方法を適用することができる。
【００６１】
（７）腕時計２０単体での個人情報の表示
ユーザが、腕時計２０の入力部（不図示）にて、個人情報を表示させるための入力操作を行うと、制御部２４が、記憶部２２に格納されている個人情報表示のためのプログラムを実行する。プログラムが実行されると、制御部２４は、ユーザに対して、暗証番号の入力を要求する。この要求に応じて、ユーザが、入力部にて暗証番号を入力すると、制御部２４が、その入力された暗証番号と記憶部２２に格納されている暗証番号とを照合する。
【００６２】
照合結果が不一致となった場合は、制御部２４は、認証処理が正常に終了しなかった旨のメッセージを表示部２３に表示させて、個人情報表示のための処理を終了する。照合結果が一致した場合は、制御部２４は、表示部２３に、認証処理が正常に終了した旨のメッセージを表示させるとともに、記憶部２２に格納されている個人情報を表示させる。
【００６３】
上述した本実施形態の個人情報保存・管理システムにおいては、電話帳データなどの個人情報（データｘ）は、携帯電話端末には格納されず、腕時計２０に格納される。よって、携帯電話端末のメモリ容量を、そのデータｘの格納が必要ない分だけ小さくすることができる。
【００６４】
また、個人情報（データｘ）を携帯電話端末に格納していないため、携帯電話端末を紛失したり、置き忘れたりした場合に、個人情報（データｘ）を悪用されることがない。
【００６５】
携帯電話端末を自宅に忘れた場合でも、腕時計２０があれば、例えばシステム装置３０にて個人情報（データｘ）を参照した電話の発信およびメールの送受信を行うことができる。
【００６６】
さらに、腕時計２０自体に個人情報（データｘ）を表示させることができるので、ユーザは、その表示された個人情報から必要な情報を得られる。
【００６７】
携帯電話端末が故障して代替機を提供された場合は、ユーザは、その代替機を使用して腕時計２０から個人情報を取得することができる。この場合、まず、代替機を使用して腕時計２０への認証設定を行う。認証設定は、上述した「（１）認証設定およびその解除」にて説明したとおりである。この認証設定により、代替機による腕時計２０にへのアクセスが可能になり、ユーザは、代替機でも、腕時計２０に格納した個人情報を利用した電話の発着信およびメールの送受信を行うことができる。同様にして、ユーザは、手元に携帯電話端末がない場合に、知人から借用した携帯電話端末で、腕時計２０に格納されている個人情報をそのまま利用して電話の発信を行うことができる。また、新規契約や機種変更等で携帯電話端末が替わった場合でも、その携帯電話端末で、腕時計２０に格納されている個人情報をそのまま利用することができる。
【００６８】
また、図２の例において、携帯電話端末１０ｂとして腕時計２０との接続のための近距離無線通信機能およびインターネットへの接続のための通信機能を有するＰＣを使用すれば、ユーザは、携帯電話端末１０ａで、腕時計２０に格納された個人情報を参照して電話の発信を行うと同時に、ＰＣを用いて腕時計２０に格納された個人情報を参照してメールの送受信を行うことができる。
【００６９】
以上説明した本実施形態の個人情報保存・管理システムは、本発明の一例であり、その構成は、本発明の趣旨を逸脱しない範囲で適宜変更可能である。例えば、外部記憶装置として腕時計を用いているが、これに代えて、キーホルダ、音楽プレーヤー、ラジオ、筆記用具、クレジットカード、定期券、財布等といったユーザが普段身に付けているものを用いてもよい。
【００７０】
また、ここでは携帯電話端末を例に説明したが、この携帯電話端末に代えて、ＰＤＡやＰＣなど他の携帯通信端末を用いることもできる。
【００７１】
さらに、認証用情報として暗証番号を使用しているが、この他、パスワードなど種々の情報を使用することができる。
【００７２】
さらに、腕時計２０は各ユーザで購入することになるが、そのメモリ容量は、ユーザの要求するデータ容量に応じて設定することができる。
【００７３】
また、携帯電話端末１０ａ、１０ｂ、腕時計２０およびシステム装置３０の各部は、基本的にはコンピュータがプログラムを実行することで、上述した「（１）認証設定およびその解除」、「（２）ユーザによる腕時計２０への個人情報の登録およびその編集」、「（３）携帯電話端末１０ａを使用した電話の発着信」、「（４）携帯電話端末１０ａを使用した電子メールの送受信」、「（５）通信端末４０を使用した電話の発信」、「（６）通信端末４０を使用した電子メールの送受信」、「（７）腕時計２０での個人情報の表示」の各動作が行われるようになっている。
【図面の簡単な説明】
【００７４】
【図１】本発明の一実施形態である個人情報保存・管理システムの概念図である。
【図２】図１に示す個人情報保存・管理システムの主要な構成を示すブロック図である。
【符号の説明】
【００７５】
１０ａ、１０ｂ  携帯電話端末
１１、２１、３１  無線部
１２、２２  記憶部
１３、３２  入力部
１４、２３、３３  表示部
１５、２４、３４  制御部
２０  腕時計
３０  システム装置
４０  通信端末
【図１】
2005094351.tif 000003
【図２】
2005094351.tif 000004